(57)【要約】【課題】ファクシミリ通信をより効果的に行うこと。【解決手段】カラー画像情報を通信可能なファクシミリ装置において、ＤＩＳ信号のＦＩＦに、色空間Ｌａｂを用いた各種画像情報の受信機能の有無を通知する６８〜７５ビットが設けられ、更に、色空間ｓＹＣＣを用いた画像情報の各種受信機能の有無を通知するＸ〜Ｘ＋７ビットが設けられている。また、ＤＣＳ信号のＦＩＦに、色空間Ｌａｂを用いた各種画像情報の送信を指定する６８〜７５ビットが設けられ、更に、色空間ｓＹＣＣを用いた各種画像情報の送信を指定するＸ〜Ｘ＋７ビットが設けられている。【選択図】　図２
2004140464.tif 000002
【特許請求の範囲】
【請求項１】
カラー情報を通信可能なファクシミリ装置であって、
色空間ＬａｂでのＪＰＥＧ符号化情報の受信機能の有無、
色空間Ｌａｂでのフルカラー情報の受信機能の有無、
色空間Ｌａｂでの１画素情報の拡張ビット数の受信機能の有無、
色空間Ｌａｂでのサブサンプリングの受信機能の有無、
色空間Ｌａｂでの非標準照射光の受信機能の有無、
色空間Ｌａｂでの非標準ガミュート範囲の受信機能の有無、
の少なくとも１つを通知する第１手段と、
色空間ｓＹＣＣを用いた各種画像情報の受信機能の有無を通知する第２手段と、
を有することを特徴とするファクシミリ装置。
【発明の詳細な説明】
【０００１】
【発明の属する技術分野】
本発明は、ファクシミリ通信に関するものである。
【０００２】
【従来の技術】
従来のファクシミリ装置は、カラー情報の送信はＩＴＵ−Ｔ勧告Ｔ．８２で規定されているＪＰＥＧ符号化にて、ＩＴＵ−Ｔ勧告Ｔ．４２の色空間Ｌａｂでフルカラー情報の送信を実行していた。送信機、受信機ともにスタンドアローンのファクシミリ装置であれば、これで充分に対応することができる。
【０００３】
【発明が解決しようとする課題】
しかしながら、例えば、デジタルカメラで撮影したカラー情報の色空間はｓＹＣＣである。また、パソコンにてカラー情報を表示する場合の色空間はｓＹＣＣである。
【０００４】
よって、上記従来例においては、デジタルカメラで撮影した情報、あるいは、パソコンにて表示している情報をファクシミリ送信する時は、一度、ｓＹＣＣの色空間をＲＧＢまで戻して、再度、色空間をＬａｂに変換して送信しなければならず非常に手間であり、また、この変換での画質劣化が発生するという欠点があった。さらに、ここで、従来のファクシミリ通信は、色空間ｓＹＣＣの関連情報をネゴシエーションできないという欠点があった。
【０００５】
本発明は、上記従来技術の課題を解決するために成されたもので、その目的とするところは、ファクシミリ通信をより効果的に行うことにある。
【０００６】
【課題を解決するための手段】
上記目的を達成するため、本発明に係る装置は、
カラー情報を通信可能なファクシミリ装置であって、
色空間ＬａｂでのＪＰＥＧ符号化情報の受信機能の有無、
色空間Ｌａｂでのフルカラー情報の受信機能の有無、
色空間Ｌａｂでの１画素情報の拡張ビット数の受信機能の有無、
色空間Ｌａｂでのサブサンプリングの受信機能の有無、
色空間Ｌａｂでの非標準照射光の受信機能の有無、
色空間Ｌａｂでの非標準ガミュート範囲の受信機能の有無、
の少なくとも１つを通知する第１手段と、
色空間ｓＹＣＣを用いた各種画像情報の受信機能の有無を通知する第２手段と、
を有することを特徴とする。
【０００７】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
＜構成＞
図１は、本発明の第１実施形態であるファクシミリ装置の概略構成を示すブロック図である。
【０００９】
２は、ＮＣＵ（網制御装置）である。これは、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００１２】
１０は、発呼回路であり、バス２６からの信号により、電話番号情報を入力し、信号線１０ａにＤＴＭＦの選択信号を出力する。１２は、加算回路であり、信号線８ａの情報と信号線１０ａの情報を入力し、加算した結果を信号線１２ａに出力する。１４は、カラー読み取り可能な読取回路であり、読み取りデータをバス２６に出力する。１６は、カラー記録可能な記録回路であり、バス２６に出力されている情報を順次１ライン毎に記録する。
【００１３】
１８は、メモリ（ＲＡＭ）である。ワーク用の領域の他、読み取りデータの生情報、あるいは、符号化した情報を格納したり、また、受信情報、あるいは、復号化した情報等をバス２６を介して格納したりする領域を有する。２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、その他のファンクションキーがあり、押下されたキー情報はバス２６に出力される。操作部２０には、表示部があり、バス２６に出力されている情報を入力し、表示する。
【００１４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１５】
２６は、バスである。２８は、カードインターフェイスであり、３０のメモリカード（例えば、デジタルカメラで撮影した情報が記憶されているコンパクトフラッシュ（登録商標）カード）がセットされる。
【００１６】
２４は、本実施形態に係るファクシミリ装置全体を制御する制御プログラムを格納するＲＯＭである。
【００１７】
この制御プログラムは、ファクシミリ受信の前手順において、送信側のファクシミリ装置に対し、色空間ＬａｂでのＪＰＥＧ符号化情報の受信機能の有無、色空間Ｌａｂでのフルカラー情報の受信機能の有無、色空間Ｌａｂでの１画素情報の拡張ビット数の受信機能の有無、色空間Ｌａｂでのオプションサブサンプリングの受信機能の有無、色空間Ｌａｂでの非標準照射光の受信機能の有無、色空間Ｌａｂでの非標準ガミュート範囲の受信機能の有無、及び、色空間ｓＹＣＣでの受信機能の有無、色空間ｓＹＣＣでのＪＰＥＧ符号化情報の受信機能の有無、色空間ｓＹＣＣでのフルカラー情報の受信機能の有無、色空間ｓＹＣＣでの１画素情報の拡張ビット数の受信機能の有無、色空間ｓＹＣＣでのオプションサブサンプリングの受信機能の有無、色空間ｓＹＣＣでの非標準照射光の受信機能の有無、色空間ｓＹＣＣでの非標準ガミュート範囲の受信機能の有無、といった機能情報を通知する手段としてＣＰＵを機能させるプログラムを含んでいる。
【００１８】
また、この制御プログラムは、ファクシミリ送信の前手順において、受信側のファクシミリ装置に対し、色空間ＬａｂでのＪＰＥＧ符号化情報の送信か否か、色空間Ｌａｂでのフルカラー情報の送信か否か、色空間Ｌａｂでの１画素情報の拡張ビット数の送信か否か、色空間Ｌａｂでのサブサンプリングの送信か否か、色空間Ｌａｂでの非標準照射光の送信か否か、色空間Ｌａｂでの非標準ガミュート範囲の送信か否か、色空間ｓＹＣＣでのＪＰＥＧ符号化情報の送信か否か、色空間ｓＹＣＣでのフルカラー情報の送信か否か、色空間ｓＹＣＣでの１画素情報の拡張ビット数の送信か否か、色空間ｓＹＣＣでのサブサンプリングの送信か否か、色空間ｓＹＣＣでの非標準照射光の送信か否か、色空間ｓＹＣＣでの非標準ガミュート範囲の送信か否か、といった送信情報を指定する手段としてＣＰＵを機能させるプログラムをも含んでいる。
【００１９】
そして、この制御プログラムは、上記のような機能情報を受信側のファクシミリ装置から受け取りその内容を解析する手段としてＣＰＵを機能させるプログラム及び上記のような送信情報を送信側のファクシミリ装置から受け取りその内容を解析する手段としてＣＰＵを機能させるプログラムをも含む。
【００２０】
具体的には、本実施形態に係るファクシミリ装置は、図２に示すＤＩＳ／ＤＴＣ信号及びＤＣＳ信号のやりとりによって、上記の機能情報、送信情報を通知しあうことができる。
【００２１】
＜ＤＩＳ、ＤＣＳのＦＩＦ構成＞
図２は、解像度関連のビット情報、カラー関連のビット情報、さらに、新規にＩＴＵ−Ｔ勧告Ｔ．３０に追加する情報を示すテーブルである。
【００２２】
ＤＩＳ／ＤＴＣ信号のＦＩＦの６８ビットにより、色空間ＬａｂでのＪＰＥＧ受信機能の有無を通知し、ＤＣＳ信号のＦＩＦの６８ビットにより、色空間ＬａｂでのＪＰＥＧ送信を指定する。
【００２３】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定する。
【００２４】
また、ＤＩＳ／ＤＴＣ信号のＦＩＦの７０ビットは０にするが、ＤＣＳ信号のＦＩＦの７０ビットにより、色空間Ｌａｂでの優先使用ハフマン符号表を指定する。
【００２５】
また、ＤＩＳ／ＤＴＣ信号のＦＩＦの７１ビットにより、色空間はＬａｂでの１２ビット／画素／要素の受信機能の有無を通知し、ＤＣＳ信号のＦＩＦの７１ビットにより、色空間はＬａｂでの１２ビット／画素／要素送信を指定する。標準的には、色空間Ｌａｂでの８ビット／画素／要素の受信機能は有する。
【００２６】
また、ＤＩＳ／ＤＴＣ信号のＦＩＦの７３ビットにより、色空間はＬａｂでのサブサンプリング無し（１：１：１）の受信機能の有無を通知し、ＤＣＳ信号のＦＩＦの７３ビットにより、色空間はＬａｂでのサブサンプリング無し（１：１：１）送信を指定する。標準的には、色空間Ｌａｂでのサブサンプリング（４：１：１）の受信機能は有する。
【００２７】
また、ＤＩＳ／ＤＴＣ信号のＦＩＦの７４ビットにより、色空間はＬａｂでの非標準照射光での受信機能の有無を通知し、ＤＣＳ信号のＦＩＦの７４ビットにより、色空間はＬａｂでの非標準照射光での送信を指定する。
【００２８】
また、ＤＩＳ／ＤＴＣ信号のＦＩＦの７５ビットにより、色空間はＬａｂでの非標準ガミュート範囲での受信機能の有無を通知し、ＤＣＳ信号のＦＩＦの７５ビットにより、色空間はＬａｂでの非標準ガミュート範囲での送信を指定する。
【００２９】
ＤＩＳ／ＤＴＣ信号のＦＩＦのＸビットにより、色空間ｓＹＣＣでのＪＰＥＧ受信機能の有無を通知し、ＤＣＳ信号のＦＩＦのＸビットにより、色空間ｓＹＣＣでのＪＰＥＧ送信を指定する。
【００３０】
また、ＤＩＳ／ＤＴＣ信号のＦＩＦのＸ＋１ビットにより、色空間はｓＹＣＣであるフルカラー受信機能の有無を通知し、ＤＣＳ信号のＦＩＦのＸ＋１ビットにより、色空間はｓＹＣＣであるフルカラー送信を指定する。
【００３１】
また、ＤＩＳ／ＤＴＣ信号のＦＩＦのＸ＋２ビットは常に０にするが、ＤＣＳ信号のＦＩＦのＸ＋２ビットにより、色空間はｓＹＣＣである優先使用ハフマン符号表を指定する。
【００３２】
また、ＤＩＳ／ＤＴＣ信号のＦＩＦのＸ＋３ビットにより、色空間はｓＹＣＣでの１０ビット／画素／要素の受信機能の有無を通知し、ＤＣＳ信号のＦＩＦのＸ＋３ビットにより、色空間はｓＹＣＣでの１０ビット／画素／要素送信を指定する。標準的には（このＸ＋３ビットが０の場合）、色空間ｓＹＣＣでの８ビット／画素／要素の受信機能は有するものと判断する。
【００３３】
また、ＤＩＳ／ＤＴＣ信号のＦＩＦのＸ＋４ビットにより、色空間はｓＹＣＣでの１２ビット／画素／要素の受信機能の有無を通知し、ＤＣＳ信号のＦＩＦのＸ＋４ビットにより、色空間はｓＹＣＣでの１２ビット／画素／要素送信を指定する。標準的には（このＸ＋４ビットが０の場合）、色空間ｓＹＣＣでの８ビット／画素／要素の受信機能は有するものとする。
【００３４】
また、ＤＩＳ／ＤＴＣ信号のＦＩＦのＸ＋５ビットにより、色空間はｓＹＣＣでのサブサンプリング（４：１：１）の受信機能の有無を通知し、ＤＣＳ信号のＦＩＦのＸ＋５ビットにより、色空間はｓＹＣＣでのサブサンプリング（４：１：１）送信を指定する。標準的には（このＸ＋５ビットが０の場合）、色空間ｓＹＣＣでのサブサンプリング（４：２：２）の受信機能を有するものとする。
【００３５】
また、ＤＩＳ／ＤＴＣ信号のＦＩＦのＸ＋６ビットにより、色空間はｓＹＣＣでのＤ５０光源での受信機能の有無を通知し、ＤＣＳ信号のＦＩＦのＸ＋６ビットにより、色空間はｓＹＣＣでのＤ５０光源での送信を指定する。標準的には（このＸ＋６ビットが０の場合）、色空間ｓＹＣＣでのＤ６５光源の受信機能を有するものとする。
【００３６】
また、ＤＩＳ／ＤＴＣ信号のＦＩＦのＸ＋７ビットにより、色空間はｓＹＣＣでの非標準ガミュート範囲での受信機能の有無を通知し、ＤＣＳ信号のＦＩＦのＸ＋７ビットにより、色空間はｓＹＣＣでの非標準ガミュート範囲での送信を指定する。
【００３７】
なお、上記のＸは、現在のＩＴＵ−Ｔ勧告Ｔ．３０では用いられていないＦＩＦの任意のビット番号であれば良く、例えば１００ビットなどでもよい。
また、ここでは、例示的にＸビットと共にＸ＋１〜Ｘ＋７ビットを用いることとしているが、これらは必ずしも連続するビットである必要はなく、Ｘとは全く無関係のビット番号であってもよい。
【００３８】
また、以上のビットは全て、１が立ったときに肯定的に判断されるものとする。
【００３９】
＜動作＞
図４〜図９は、本実施形態に係るファクシミリ装置のＣＰＵ１８がＲＯＭ２４に格納された制御プログラムを実行した場合の処理の流れを示すフローチャートである。
【００４０】
ステップＳ２は、バス２６を介して、メモリ１８をイニシャライズすることを表している。ステップＳ４は、バス２６を介して、操作部の表示部をクリアすることを表している。ステップＳ６では、バス２６を介してＮＣＵ２のＣＭＬをオフする。
【００４１】
ステップＳ８では、受信が選択されたか否かが判断されＹＥＳであるとステップステップＳ１４に進み、ＮＯであるとステップＳ１０に進む。
【００４２】
ステップＳ１０では、送信が選択されたか否かが判断されＹＥＳであると図５のステップＳ２２に進み、ＮＯであるとステップＳ１２に進み、その他の処理をしてステップＳ６に戻る。
【００４３】
《受信処理》
ステップＳ１４では、バス２６を介して、ＮＣＵ２のＣＭＬをオンする。次に、ステップＳ１６では前手順として、送信機との間でＤＩＳ信号とＤＣＳ信号のやりとりを行う。例えば、ここで、ＦＩＦの６８、６９、７５、Ｘ、Ｘ＋１、Ｘ＋３、Ｘ＋４、Ｘ＋６、Ｘ＋７ビットが１となっているＤＩＳ信号を送信機に送ると、送信機では、このＤＩＳ信号に表された受信機能に応じて送信するか否か或いは送信データをデータ変換するか否かを判定して、送信可能な場合には画像情報を送信する。受信機では、ステップＳ１８に進み、送信機から指定された通信モードでの受信／記録を行う。そして、ステップＳ２０で、後手順を行いステップＳ６に戻る。
【００４４】
《送信処理》
図５のステップＳ２２では、バス２６を介してＮＣＵ２のＣＭＬをオンする。
次にステップＳ２４では、発呼回路を使用して、指定された宛先へ発呼する。そして、前手順を実行する。ステップＳ２６では、カラーファイル情報の送信が選択されたか否かが判断され、ＹＥＳであるとステップＳ２８に進み、ＮＯであるとステップＳ４８に進む。
【００４５】
カラーファイル情報を送信するためには、受信側に色空間ｓＹＣＣでのＪＰＥＧフルカラー画像受診機能が備わっている必要がある。そこで、ステップＳ２８では、ＤＩＳ信号のＦＩＦのＸ、Ｘ＋１ビットがともに１であるか否かを判断する。ＹＥＳであるとステップＳ３２に進み、ＮＯであるとステップＳ３０に進む。
【００４６】
ステップＳ３０では、操作部の表示部に、「相手受信機に機能が無く通信を中断します。」と表示する。この表示は、何らかのキー操作で消すことができる。
ステップＳ３２以降では、送信するカラーファイル情報とＤＩＳ信号のＦＩＦのＸ＋２〜Ｘ＋７ビットとを比較し、受信機の受診機能に合わせてファイル情報にデータ変換を加えて送信する。
【００４７】
ここでは、例として、送信しようとするカラーファイル情報は、色空間ｓＹＣＣの１０ビット／画素／要素でＤ５０光源でのＪＰＥＧフルカラー画像情報であるものとして説明する。この場合、問題となるのは、ＤＩＳ信号のＦＩＦのＸ＋３ビットとＸ＋６ビットである。
【００４８】
まず、ステップＳ３２では、ＤＩＳ信号のＦＩＦのＸ＋３ビットは１であるか否かを判断する。ＹＥＳであるとステップＳ３４に進み、ＮＯであるとステップＳ４２に進む。
【００４９】
そして、ステップＳ３４では、ＤＩＳ信号のＦＩＦのＸ＋６ビットは１であるか否かを判断する。ＹＥＳであるとステップＳ３６に進み（ここでは、ＤＣＳ信号のＦＩＦのＸ、Ｘ＋１、Ｘ＋３、Ｘ＋６ビットを１とする）、ＮＯであるとステップＳ４０（ここでは、ＤＣＳ信号のＦＩＦのＸ、Ｘ＋１、Ｘ＋３ビットを１とする）に進む。
【００５０】
ステップＳ３６では、色空間ｓＹＣＣで１０ビット／画素／要素でＤ５０光源でのＪＰＥＧフルカラー送信を実行する。
【００５１】
図６（ａ）のステップＳ３８は後手順を表している。
【００５２】
図６（ｂ）のステップＳ４０では、ＤＩＳ信号に合わせて、色空間ｓＹＣＣで１０ビット／画素／要素でのＤ６５光源に変換してＪＰＥＧフルカラー送信を実行する。
【００５３】
図６（ｃ）のステップＳ４２では、ＤＩＳ信号のＦＩＦのＸ＋６ビットは１であるか否かが判断され、ＹＥＳであるとステップＳ４４に進み（ここでは、ＤＣＳ信号のＦＩＦのＸ、Ｘ＋１、Ｘ＋６ビットを１とし、Ｘ＋３ビットを０とする）、ＮＯであるとステップＳ４６（ここでは、ＤＣＳ信号のＦＩＦのＸ、Ｘ＋１ビットを１とし、Ｘ＋３ビット、Ｘ＋６ビットを０とする）に進む。
【００５４】
ステップＳ４４は、色空間ｓＹＣＣで８ビット／画素／要素に変換して、Ｄ５０光源でのＪＰＥＧフルカラー送信を実行する。ステップＳ４６では、色空間ｓＹＣＣで８ビット／画素／要素に変換し、また、Ｄ６５光源に変換してＪＰＥＧフルカラー送信を実行する。
【００５５】
図７のステップＳ４８では、カラー原稿情報の送信が選択されたか否かが判断され、ＹＥＳであるとステップＳ５２に進み（色空間Ｌａｂのオプションを使用しない通常の送信とする）、ＮＯであるとステップＳ５０に進む。ステップＳ５０は、モノクロ画信号の読み取り、送信の実行を表している。ステップＳ５２では、色空間ＬａｂでＪＰＥＧフルカラー送信する。ここで、８ビット／画素／要素、４：１：１のサブサンプリング、標準照射光、標準ガミュートとする。ステップＳ５４は後手順を表している。
【００５６】
以上の処理によれば、前手順にて、通知される１画素情報の拡張ビット数、サブサンプリング、非標準照射光、非標準ガミュート範囲は色空間Ｌａｂと色空間ｓＹＣＣで独立して通知する事が可能になり、色空間ｓＹＣＣのＪＰＥＧ符号化、空間ｓＹＣＣのフルカラー情報のみをサポートして、上記のパラメータのネゴシエーションが可能になり、ユーザには使い易くなった。
【００５７】
１画素情報の拡張ビット数、サブサンプリング、非標準照射光、非標準ガミュート範囲を、色空間Ｌａｂと色空間ｓＹＣＣで独立して、さらに、その内容を異ならせて、通知することが可能になり、色空間ｓＹＣＣのＪＰＥＧ符号化、空間ｓＹＣＣのフルカラー情報のみをサポートして、上記のパラメータのネゴシエーションが可能になり、ユーザにとって使い易くなった。
【００５８】
（他の実施形態）
以上、本発明の実施形態について詳述したが、本発明は、複数の機器から構成されるシステムに適用しても良いし、また、一つの機器からなる装置に適用しても良い。
【００５９】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００６０】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等、プログラムの形態を問わない。
【００６２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６３】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００６７】
なお、本実施形態中で、制御プログラムが実現すると表現した機能については、電子回路などのハードウェアで実現する構成としてもよい。
【００６８】
本発明の実施態様の例を以下に列挙する。
【００６９】
【実施態様１】
カラー情報を通信可能なファクシミリ装置であって、
色空間Ｌａｂを用いた各種画像情報の受信機能の有無を通知する第１手段と、色空間ｓＹＣＣを用いた各種画像情報の受信機能の有無を通知する第２手段と、
を有することを特徴とするファクシミリ装置。
【００７０】
【実施態様２】
前記第１手段は、
色空間ＬａｂでのＪＰＥＧ符号化情報の受信機能の有無、
色空間Ｌａｂでのフルカラー情報の受信機能の有無、
色空間Ｌａｂでの１画素情報の拡張ビット数の受信機能の有無、
色空間Ｌａｂでのサブサンプリングの受信機能の有無、
色空間Ｌａｂでの非標準照射光の受信機能の有無、
色空間Ｌａｂでの非標準ガミュート範囲の受信機能の有無、
の少なくとも１つを通知する手段であることを特徴とする実施態様１に記載のファクシミリ装置。
【００７１】
【実施態様３】
前記第２手段は、
色空間ｓＹＣＣでのＪＰＥＧ符号化情報の受信機能の有無、
色空間ｓＹＣＣでのフルカラー情報の受信機能の有無、
色空間ｓＹＣＣでの１画素情報の拡張ビット数の受信機能の有無、
色空間ｓＹＣＣでのサブサンプリングの受信機能の有無、
色空間ｓＹＣＣでの非標準照射光の受信機能の有無、
色空間ｓＹＣＣでの非標準ガミュート範囲の受信機能の有無、
の少なくとも１つを通知する手段であることを特徴とする実施態様１または２に記載のファクシミリ装置。
【００７２】
【実施態様４】
カラー情報を通信可能なファクシミリ装置であって、
色空間Ｌａｂを用いた各種画像情報を送信するか否か指定する第１手段と、
色空間ｓＹＣＣを用いた各種画像情報を送信するか否か指定する第２手段と、
を有することを特徴とするファクシミリ装置。
【００７３】
【実施態様５】
前記第１手段は、
色空間ＬａｂでのＪＰＥＧ符号化情報を送信するか否か、
色空間Ｌａｂでのフルカラー情報を送信するか否か、
色空間Ｌａｂでの１画素情報の拡張ビット数を送信するか否か、
色空間Ｌａｂでのサブサンプリングを送信するか否か、
色空間Ｌａｂでの非標準照射光を送信するか否か、
色空間Ｌａｂでの非標準ガミュート範囲を送信するか否か、
の少なくとも１つを指定する手段であることを特徴とする実施態様４に記載のファクシミリ装置。
【００７４】
【実施態様６】
前記第２手段は、
色空間ｓＹＣＣでのＪＰＥＧ符号化情報を送信するか否か、
色空間ｓＹＣＣでのフルカラー情報を送信するか否か、
色空間ｓＹＣＣでの優先使用ハフマン符号表を使用した情報を送信するか否か、
色空間ｓＹＣＣでの１０ビット／画素／要素で表した情報を送信するか否か、
色空間ｓＹＣＣでの１２ビット／画素／要素で表した情報を送信するか否か、
色空間ｓＹＣＣでのサブサンプリングを送信するか否か、
色空間ｓＹＣＣでのＤ５０光源での情報を送信するか否か、
色空間ｓＹＣＣでの非標準ガミュート範囲を送信するか否か、
の少なくとも１つを指定する手段であることを特徴とする実施態様４または５に記載のファクシミリ装置。
【００７５】
【実施態様７】
カラー情報を通信可能なファクシミリ通信方法であって、
色空間Ｌａｂを用いた各種画像情報の受信機能の有無を通知する第１工程と、色空間ｓＹＣＣを用いた各種画像情報の受信機能の有無を通知する第２工程と、
を含むことを特徴とするファクシミリ通信方法。
【００７６】
【実施態様８】
カラー情報を通信可能なファクシミリ通信方法であって、
色空間Ｌａｂを用いた各種画像情報を送信するか否か指定する第１工程と、
色空間ｓＹＣＣを用いた各種画像情報を送信するか否か指定する第２工程と、
を有することを特徴とするファクシミリ通信方法。
【００７７】
【実施態様９】
上記実施態様７または８に記載のファクシミリ通信方法をコンピュータに実行させることを特徴とする制御プログラム。
【００７８】
【実施態様１０】
上記実施態様９に記載の制御プログラムを格納した記憶媒体。
【００７９】
【発明の効果】
本発明によれば、ファクシミリ通信をより効果的に行うことができる。
【図面の簡単な説明】
【図１】本発明の第１実施形態としてのファクシミリ装置のブロック図である。
【図２】本発明の第１実施形態に係るＤＩＳ／ＤＴＣ、ＤＣＳ信号のＦＩＦ情報の具体例を示す図である。
【図３】本発明の第１実施形態に係るＤＩＳ／ＤＴＣ、ＤＣＳ信号のＦＩＦ情報の具体例を示す図である。
【図４】本発明の第１実施形態に係る制御のフローチャートである。
【図５】本発明の第１実施形態に係る制御のフローチャートである。
【図６】本発明の第１実施形態に係る制御のフローチャートである。
【図７】本発明の第１実施形態に係る制御のフローチャートである。
【符号の説明】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
３０．メモリカード
【図１】
2004140464.tif 000003
【図２】
2004140464.tif 000004
【図３】
2004140464.tif 000005
【図４】
2004140464.tif 000006
【図５】
2004140464.tif 000007
【図６】
2004140464.tif 000008
【図７】
2004140464.tif 000009